【手続補正書】
【提出日】平成19年6月6日(2007.6.6)
【手続補正１】
【補正対象書類名】特許請求の範囲
【補正対象項目名】全文
【補正方法】変更
【補正の内容】
【特許請求の範囲】
【請求項１】
所定の物体の形状を表わす形状データを含む三次元ＣＡＤデータと、
前記三次元ＣＡＤデータに基づいて作成され、前記所定の物体を含む仮想有限空間を複数の小空間に分割するメッシュデータ作成条件を定義するメッシュ作成条件データと
を含むことを特徴とする三次元モデルデータ。
【請求項２】
前記メッシュデータ作成条件はそれぞれ、対応する小空間を表す前記仮想有限空間における座標値に関係付けて定義されていること
を特徴とする請求項１に記載の三次元モデルデータ。
【請求項３】
前記三次元ＣＡＤデータは、複数の形状要素の値によって所定の物体の形状を表わす形状データを含み、
前記形状要素には複数の種類があり、
前記メッシュデータ作成条件は、前記複数の種類別に、前記形状要素の値の大きさに対してそれぞれ定義されていること
を特徴とする請求項１に記載の三次元モデルデータ。
【請求項４】
所定の物体の形状を表わす形状データを含む三次元ＣＡＤデータと、前記三次元ＣＡＤデータに基づいて作成され、前記所定の物体を含む仮想有限空間を複数の小空間に分割するメッシュデータの作成条件を定義するメッシュ作成条件データとを含む三次元モデルデータに基づいて、当該メッシュデータを作成すること
を特徴とするメッシュデータ作成装置。
【手続補正２】
【補正対象書類名】明細書
【補正対象項目名】００１１
【補正方法】変更
【補正の内容】
【００１１】
上記目的を達成するために、本発明に係る三次元モデルデータは、所定の物体の形状を表わす形状データを含む三次元ＣＡＤデータと、前記三次元ＣＡＤデータに基づいて作成され、前記所定の物体を含む仮想有限空間を複数の小空間に分割するメッシュデータ作成条件を定義するメッシュ作成条件データとを含むことを特徴とする。
【手続補正３】
【補正対象書類名】明細書
【補正対象項目名】００１２
【補正方法】変更
【補正の内容】
【００１２】
課題を解決するための手段に記載した構成により、メッシュ作成条件データが三次元ＣＡＤデータと一緒に管理されるので、メッシュ作成条件データの所在がわからなくなることがなくメッシュ作成条件データを容易に再利用することができる。
また、ＣＡＤ装置により三次元ＣＡＤデータを変更することができるので、元の形状に変更を加えたことによる効果を検討するような場合に、元の形状に対応するメッシュ作成条件データを容易に再利用することができる。
【手続補正４】
【補正対象書類名】明細書
【補正対象項目名】００１３
【補正方法】変更
【補正の内容】
【００１３】
従って、メッシュ作成条件データを容易に再利用することができる。
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】変更
【補正の内容】
【００１５】
ここで、三次元モデルデータにおいて、前記メッシュデータ作成条件はそれぞれ、対応する小空間を表す前記仮想有限空間における座標値に関係付けて定義されていることを特徴とすることもできる。
これにより、メッシュデータの作成条件が座標値に関係付けて定量的に定義されるので、異なる形状データに対して同じメッシュ作成条件データを用いることができる。
【手続補正７】
【補正対象書類名】明細書
【補正対象項目名】００１６
【補正方法】変更
【補正の内容】
【００１６】
ここで、三次元モデルデータにおいて、前記三次元ＣＡＤデータは複数の形状要素の値によって所定の物体の形状を表わす形状データを含み、前記形状要素には複数の種類があり、前記メッシュデータ作成条件は前記複数の種類別に、前記形状要素の値の大きさに対してそれぞれ定義されていることを特徴とすることもできる。
これにより、メッシュデータの作成条件が、形状データの内容とは無関係に、複数の形状要素の種類別に、形状要素の値の大きさに対してそれぞれ定義されるので、異なる形状データに同じメッシュ作成条件データを用いることができ、さらに詳細にメッシュ作成条件データを定義でき、物体の形状に関係する解析業務において解析結果の精度を同じレベルに揃えることができ、比較検討を精度良く行うことが可能となる。
【手続補正８】
【補正対象書類名】明細書
【補正対象項目名】００１７
【補正方法】変更
【補正の内容】
【００１７】
従って、異なる複数の形状に対してメッシュデータの作成条件を揃えることができるので、物体の形状に関係する解析業務において解析結果の精度を同じレベルに揃えることができ、比較検討を精度良く行うことが可能となる。
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】削除
【補正の内容】
【手続補正１３】
【補正対象書類名】明細書
【補正対象項目名】００２２
【補正方法】変更
【補正の内容】
【００２２】
本発明に係るメッシュデータ作成装置は、所定の物体の形状を表わす形状データを含む三次元ＣＡＤデータと、前記三次元ＣＡＤデータに基づいて作成され、前記所定の物体を含む仮想有限空間を複数の小空間に分割するメッシュデータの作成条件を定義するメッシュ作成条件データとを含む三次元モデルデータに基づいて、当該メッシュデータを作成することを特徴とする。
【手続補正１４】
【補正対象書類名】明細書
【補正対象項目名】００２３
【補正方法】変更
【補正の内容】
【００２３】
これにより、ＣＡＤデータと一緒に管理されたメッシュ作成条件データを用いてメッシュデータを作成することができるので、メッシュ作成条件データの所在がわからなくなることがなくメッシュ作成条件データを容易に再利用することができる。
また、ＣＡＤ装置によりＣＡＤデータが変更された場合に、元の形状に対応するメッシュ作成条件データを容易に再利用することができる。
【手続補正１５】
【補正対象書類名】明細書
【補正対象項目名】００２４
【補正方法】変更
【補正の内容】
【００２４】
従って、メッシュ作成条件データを容易に再利用することができる。
また、メッシュデータの作成条件が形状データの内容とは無関係に定義されるので、異なる形状データに対して同じメッシュ作成条件データを用いてメッシュデータを作成することができる。
従って、異なる複数の形状に対してメッシュデータの作成条件を揃えることができるので、物体の形状に関係する解析業務において解析結果の精度を同じレベルに揃えることができ、比較検討を精度良く行うことが可能となる。
【手続補正１６】
【補正対象書類名】明細書
【補正対象項目名】００３６
【補正方法】変更
【補正の内容】
【００３６】
図４は、図１に示す三次元モデルに基づいて、メッシュデータを作成するメッシュデータ作成装置の概要を示す図である。
図４に示すように、本発明の実施の形態１におけるメッシュデータ作成装置２０は、データ入手部２１、入力部２２、記憶部２３、表示部２４、演算制御部２５を備える。
データ入手部２１は、例えば三次元ＣＡＤ装置と接続された外部インターフェイスであり、作成又は変更された三次元ＣＡＤデータ３、既存のメッシュ作成条件データ４、あるいは三次元モデルデータ１を入手する。
【手続補正１７】
【補正対象書類名】明細書
【補正対象項目名】００５５
【補正方法】変更
【補正の内容】
【００５５】
図９は、図６に示す三次元モデルに基づいて、メッシュデータを作成するメッシュデータ作成装置の概要を示す図である。
図９に示すように、本発明の実施の形態２におけるメッシュデータ作成装置７０は、データ入手部７１、入力部７２、記憶部７３、表示部７４、演算制御部７５を備える。
データ入手部７１は、例えば三次元ＣＡＤ装置と接続された外部インターフェイスであり、作成又は変更された三次元ＣＡＤデータ３３、既存のメッシュ作成条件データ３４、あるいは三次元モデルデータ３１を入手する。